(57)【特許請求の範囲】
【請求項１】
炎をあげずに燃焼することが可能な支持体を含む昆虫防除装置であって、前記支持体が、トランスフルトリン及びメトフルトリンからなる群から選択される少なくとも１種類の殺虫活性物質を含有し、紙重量２５〜３００ｇ／ｍ２を有する紙支持体であることを特徴とする装置。
【請求項２】
マイクロカプセル化された少なくとも１種類の殺虫活性物質を含有することを特徴とする、請求項１に記載の装置。
【請求項３】
前記活性物質の含有量が、紙の面積２４ｃｍ２当たり０．０１〜１００．０ｍｇであることを特徴とする、請求項１又は２に記載の装置。
【請求項４】
前記活性物質の含有量が、紙の面積２４ｃｍ２当たり０．０５〜８０ｍｇであることを特徴とする、請求項１又は２に記載の装置。
【請求項５】
前記活性物質の含有量が、紙の面積２４ｃｍ２当たり０．１〜６０ｍｇであることを特徴とする、請求項１又は２に記載の装置。
【請求項６】
前記紙支持体が硝酸カリウムを５〜５０ｇ／ｍ２の量含むことを特徴とする、請求項１ないし５のいずれか１項に記載の装置。
【請求項７】
支持体に殺虫剤の溶液を含浸させ、次に、それを乾燥させることことにより、又は、該支持体を殺虫剤の溶液に浸漬し、次に、それを乾燥させることにより、又は、ピペットを用いて含浸させることにより、又は、インクジェット法を用いて含浸させることにより、又は、スクリーン印刷法を用いて含浸させることにより、殺虫剤含有紙支持体を調製することを特徴とする、請求項１ないし６のいずれか１項に記載の装置を製造する方法。
【請求項８】
支持体への殺虫剤の含浸が噴霧により行われることを特徴とする、請求項７に記載の装置を製造する方法。
【請求項９】
昆虫を防除するための、請求項１〜６のいずれか１項に記載の昆虫防除装置の使用。
【発明の詳細な説明】
【技術分野】
【０００１】
本発明は、殺虫活性物質を含浸させた紙、それを調製する方法、及び、昆虫を防除するためのそれの使用に関する。
【背景技術】
【０００２】
昆虫（例えば、蚊）を殺す又は忌避するために、電気加熱装置の助けを借りて、例えば蒸気生成錠剤（ｖａｐｏｕｒ−ｐｒｏｄｕｃｉｎｇ  ｔａｂｌｅｔ）として知られているものを用いることができるということは、知られている。この方法においては、適切な物質、例えば、セルロース製及び綿製の厚紙、アスベスト、セラミック並びに／又は多孔質樹脂に殺虫活性物質の溶液を含浸させて、殺虫性板状小片としている。１２０〜１９０℃の温度を生み出す加熱装置の作用によって、殺虫剤を蒸発させる。
【０００３】
これらの蒸気を生成する板状小片の実質的な不利点は、それらが、作用の想定される持続時間にわたって当該活性物質を均一に放出しないということである。それらを作動させる場合、活性物質の放出は、通常、不必要に高レベルであって、その後、連続的に且つ急激に低下する。このような蒸気生成板状小片の活性は、所与の耐用期間の間に低下する。
【０００４】
例えばＧＢ−Ｂ−２  １５３  ２２７に記載されているような蒸気生成装置も、かねてから家庭用として知られている。そのような蒸気生成装置では、電気的に加熱可能な芯を用いて溶液を蒸発させ、活性物質は、例えば、飽和脂肪族炭化水素の混合物に溶解させている。
【０００５】
製品を使用する場合、いわゆる液体エバポレーターにおいて必要とされる有機溶媒の量は活性物質の量と比較して大量であるが、この大量の有機溶媒によって、望ましくないことには、室内の溶媒の濃度が高くなる。その結果、とりわけ、当該装置の近くの壁及び物体が汚れる。この事実は、多くの場合、消費者のクレームの対象となる。
【０００６】
不愉快な昆虫を寄せ付けなくするためには、電池作動式殺虫剤エバポレーターが知られている。この電池作動式殺虫剤エバポレーターでは、殺虫剤を蒸発させるために、放熱器スラブの表面を９０〜１３０℃に加熱する（ＤＥ  １９５  ２５  ７８２  Ａ１）。
【０００７】
さらに、ＤＥ  ２０  ２００４  ００８  ２２６  Ｕ１には、昆虫を防除するための（特に、バーベキューをするときに昆虫を防除するための）燃料製品が開示されており、ここで、該製品は、細孔及び／又は裂け目を有する支持体（ｓｕｐｐｏｒｔ）と、蝋及び／又はパラフィン及び／又はステアリンからなる燃料を含んでおり、該燃料はシトロネラ油を含んでいる。
【０００８】
電気で作動するファンを用いて殺虫剤を蒸発させることも知られており、ここで、該ファンは、殺虫活性物質の溶液を含浸させた支持体の上に空気流を起こす。そのようなファンシステムは、例えば、ＷＯ−Ａ−９６／３２８４３に記載されている。
【０００９】
ＥＰ−Ｂ−０  ２７９  ３２５には、トランスフルトリンを含浸させた天然物質及び合成物質（例えば、防虫紙（ｍｏｔｈ  ｐａｐｅｒｓ）など）が開示されている。
【００１０】
ＤＥ  １９９  ４７  １４６  Ａ１には、トランスフルトリン、ピナミンフォルテ、バポルトリン（ｖａｐｏｒｔｈｒｉｎ）及びプラレトリンからなる系列から選択される０．０５〜２ｍｇ／ｃｍ２の活性物質を含浸させた支持体材料が開示されている。その支持体材料は、密閉空間内のうねって進む昆虫（ｗｉｎｄ  ｉｎｓｅｃｔｓ）を防除するために、室温で使用される。当該殺虫活性物質が揮発性を有している結果として、その殺虫活性物質は支持体材料から放出され、それによって、空気中の殺虫活性物質の特定の濃度を確実なものとする。しかしながら、ＤＥ  １９９  ４７  １４６  Ａ１に記載されているシステムの不利点は、第１に、これらのシステムは、長期貯蔵によって殺虫活性物質をすでに放出していること、及び、そのシステムをより遅い時点で使用した時に、すでにそれまで貯蔵されていたシステムが実際にどの程度の活性を示すかについて、使用者にとって不明瞭であることである。第２に、当該システムからの殺虫活性物質の放出が充分に効率的ではない。
【００１１】
さらにまた、例えば、テラスで、又は、バルコニーで、又は、キャンプ中に、又は、室内において、６〜１２時間にわたって小昆虫からの保護を提供するスモークコイル（ｓｍｏｋｅ  ｃｏｉｌｓ）、例えば、Ｂａｙｇｏｎ（登録商標）コイルも知られている。使用するためにはリングに火を付け、そのリングが燃焼し尽くす間に、そのリングに含まれている活性物質は、戸外又は室内でゆっくりと連続的に放出される。約２０ｍ２の部屋では、市販されているリング１つが必要である。しかしながら、そのようなリングの不利点は、それらが使用に際して壊れやすく、従って、その一部分しか使用されないということである。
【００１２】
さらに、密閉空間から昆虫を急速に除去するために、昆虫防除用のエーロゾル又はオイルスプレーも使用される。そのように処理された空間は、次に、新たな昆虫の到来を防止することができるのなら、空気を入れ換えることができきる。しかしながら、そのようなシステムの不利点は、エーロゾルのミスト又はオイルスプレーのミストが、それらの大きさの結果として、室内に充分に分配されないということである。
【００１３】
上記製品は全て、製造するために技術的にそして必然的に複雑で時間がかかり、従って、費用がかかるという特性を共有している。さらに、世界的に、製品の大部分を占める、エーロゾル、オイルスプレー及びスパイラルの調製には、大量の天然資源、例えば、灯油、プロパン／ブタン、木粉製接着剤（ｗｏｏｄ  ｍｅａｌ  ａｄｈｅｓｉｖｅ）、澱粉及びさまざまな製剤助剤を使用する必要がある。さらに、それらを使用することによって、通常、あとの時点において、関連する包装、例えば、スズ製容器、ファン、プラスチック製ボトル、外装などを廃棄しなければならない。
【先行技術文献】
【特許文献】
【００１４】
【特許文献１】ＧＢ−Ｂ−２  １５３  ２２７
【特許文献２】ＤＥ  １９５  ２５  ７８２  Ａ１
【特許文献３】ＤＥ  ２０  ２００４  ００８  ２２６  Ｕ１
【特許文献４】ＷＯ−Ａ−９６／３２８４３
【特許文献５】ＥＰ−Ｂ−０  ２７９  ３２５
【特許文献６】ＤＥ  １９９  ４７  １４６  Ａ１
【特許文献７】ＤＥ  ４３  ２２３  ７６  Ａ１
【特許文献８】ＤＥ  １９６  ２４  ８１９  Ａ１
【特許文献９】ＤＥ  １００  ２２  ９８９  Ａ１
【発明の概要】
【発明が解決しようとする課題】
【００１５】
上記従来技術を考慮することにより、当業者は、従って、上記不利点を概ね回避するような昆虫防除用装置を提供するという問題に直面している。
【課題を解決するための手段】
【００１６】
第１の実施形態において、上記問題の解決法は、炎をあげずに燃焼することが可能な支持体を有する昆虫防除用装置から出発する。
【００１７】
次に、該支持体は、少なくとも１種類の殺虫活性物質が供給されていることを特徴とする。
【００１８】
従って、本発明により、第１の実施形態において、炎をあげずに燃焼することが可能で且つ少なくとも１種類の殺虫活性物質が（例えば、含浸によって）供給されている支持体を含んでいる昆虫防除用装置が提供される。本発明によれば、支持体は、ひとたび火が付けられたら、（例えば、吹き消すことによって、又は、突風によって）火が消えた後、炎をあげずに燃焼し続けて、完全には消えないように設計されている。炎をあげずに燃焼する結果として、該支持体は、少なくとも１種類の殺虫活性物質を放出し、それによって、昆虫を防除する。
【００１９】
支持体（ｓｕｐｐｏｒｔ）
本発明の目的のために、該支持体は、炎をあげずに燃焼している間に少なくとも１種類の殺虫活性物質を放出することが可能である限り、どのような制限も受けない。
【００２０】
適切な支持体は、例えば、セルロースをベースとする支持体である。この点で、挙げることができる例は、紙製支持体であり、これについては、好ましい実施形態の範囲内において下記でさらに詳細に説明する。セルロースをベースとするさらに別の材料は、例えば、木片（ｗｏｏｄ  ｃｈｉｐｐｉｎｇｓ）、木片（ｗｏｏｄ  ｃｈｉｐｓ）又はおがくず、籾殻、トウモロコシの穂軸（ｍａｉｚｅ  ｃｏｂ  ｓｐｉｎｄｌｅｓ）（好ましくは、穀粒の無いもの）、ペカンナッツの殻及び落花生の殻などである。特に、薄いパーティクルボードも、支持体材料として適している。セルロースをベースとする適切な支持体は、例えば、ドイツ特許出願ＤＥ  ４３  ２２３  ７６  Ａ１に記載されている。この特許出願の開示内容は、参照により本明細書に組み入れる。
【００２１】
可能な別の支持体は、繊維材料をベースとするものである。そのような支持体には、部分的に又は全体として、合成繊維（例えば、ポリエステル製若しくはナイロン製の合成繊維）又は天然繊維（例えば、綿、ビスコール、リンネル／ビスコース混合物）又は合成繊維と天然繊維の混合物（例えば、セルロースポリエステル（合成紙）又は綿ポリエステル）を含ませることができる。別の例は、ウールフェルト（ｗｏｏｌ  ｆｅｌｔｉｎｅ）及びＴｒｅｖｉｒａサテンである。
【００２２】
可能な別の支持体は、炎をあげずに燃焼することが可能なプラスチック製材料、例えば、ポリカーボネート、ポリエステル、ポリアミド及びポリテレフタレートなどをベースとする。かくして、殺虫活性物質のための支持体構成材料が、その支持体構成材料が最終的な製造プロセス又は成形プロセスに入る前に活性物質がすでに組み込まれているプラスチック材料から作られ得るということは、本発明の範囲内に含まれることとなった。この活性物質は、本発明の範囲内においては、当該支持体構成材料の成形プロセスによってその活性が悪影響を受けない又はほんの僅かにしか悪影響を受けず、一方で、その支持体が炎をあげずに燃焼し尽くすにつれて本質的に一定の蒸発速度でそのプラスチック製支持体から放出され得るという特性によって区別される。該支持体を製造するために選択される方法は、特に、射出成形法であり、ここで、該方法では、殺虫活性物質（例えばピレスロイド）をプラスチック製出発物質（例えばポリカーボネート）に混合し、この得られた混合物を、次に、射出成形型内で加工することによって、記載されている最終的な形状とする。代替え的な製造方法の例は、押出し又は熱成形である。
【００２３】
本発明の範囲内においては、セルロースをベースとする支持体を使用するのが特に好ましい。
【００２４】
本発明の範囲内においては、紙製支持体を使用するのが、さらに、極めて特に好ましい。
【００２５】
極めて特に好ましい実施形態においては、従って、本発明の基盤である上記問題の解決法は、炎をあげずに燃焼することが可能な紙製支持体を含んでいる昆虫防除用装置から出発する。
【００２６】
該紙製支持体は、少なくとも１種類の殺虫活性物質が供給されていることを特徴とする。
【００２７】
従って、本発明により、この極めて特に好ましい実施形態において、炎をあげずに燃焼することが可能で且つ少なくとも１種類の殺虫活性物質が（例えば、含浸によって）供給されている紙製支持体を含んでいる昆虫防除用装置が提供される。本発明によれば、紙製支持体は、ひとたび火が付けられたら、（例えば、吹き消すことによって、又は、突風によって）火が消えた後、燃焼し続けて、完全には消えないように設計されている。炎をあげずに燃焼する結果として、該紙製支持体は、少なくとも１種類の殺虫活性物質を放出し、それによって、昆虫を防除する。
【００２８】
本発明のこの極めて特に好ましい実施形態のうちの特定の実施形態では、本発明の装置は、上記支持体（特に、紙製支持体）、上記少なくとも１種類の殺虫活性物質、及び、適切な場合には、さらなる添加剤（例えば、硝酸カリウム）からなる。さらなる添加剤については、下記で説明する。
【００２９】
セルロースをベースとする支持体  −  紙製支持体
上記第１の実施形態によれば、本発明の装置は、紙製支持体を含んでいる。その紙製支持体は、セルロースを含んでいる。セルロースは、本発明の範囲内においては、植物繊維（殆どの場合は、木）の化学的消化に由来し且つ主にセルロースからなるバイオマスを意味するものと理解される。
【００３０】
本発明によるタイプの紙製支持体は、何年も前からすでに知られているが、昆虫防除の分野では知られていない。かくして、約１５０年もの間、紙製支持体にアジアンツリー（Ａｓｉａｎ  ｔｒｅｅ）樹脂「スチラックス（ｓｔｙｒａｘ）」を含浸させてきた。それによって得られた製品は、「アルメニアンペーパー（Ａｒｍｅｎｉａｎ  ｐａｐｅｒ）」と称される。この「アルメニアンペーパー」は、食品又はタバコの臭気を消すために使用される。フランス人のＡｕｇｕｓｔｅ  Ｐｏｎｃｅｔは、アルメニアへの旅行から上記樹脂を携えて戻った。その樹脂は、香料の製造にも使用され、また、従って、その香料の臭いを思い出させる。上記紙は、さまざまな枚数の紙を有する小冊子として売られている。この紙を使用する場合、その小冊子から紙１枚を取り出して灰皿の中で火を付け、次に、火を消して、ゆっくりと燃焼し尽くすようにする。その紙は、燃焼し尽くすにつれ、所望の芳香物質を放出し、それによって、周囲に対して心地よい香りを確実にもたらす。本発明による紙製基体も、同じような方法で使用する。
【００３１】
原則として、この目的のために使用される紙製支持体は、その紙製支持体が概して少なくとも１種類の適切な殺虫活性物質を吸収可能であり、および火が付けられそして火が消えたあとで、当該少なくとも１種類の殺虫活性物質が、実質的に分解することもなく、遊離されることが可能である限り、どのような特定の制限も受けない。
【００３２】
しかしながら、紙の重量が、好ましくは、２５〜３００ｇ／ｍ２、特に２５〜２７０ｇ／ｍ２、特に好ましくは２５〜２５０ｇ／ｍ２、極めて特に好ましくは２５〜２１５ｇ／ｍ２、とりわけ２５〜２００ｇ／ｍ２である紙製支持体が、本発明の目的にとって特に適しているということが明らかになった。
【００３３】
紙製支持体の厚さが、０．１〜０．５ｍｍ、特に好ましくは０．１５〜０．４５ｍｍ、極めて特に好ましくは０．１５〜０．４０ｍｍ、さらに極めて特に好ましくは０．１５〜０．３４ｍｍ、とりわけ０．１５〜０．３２ｍｍの範囲内にあれば、さらに好ましい。
【００３４】
個々の紙製支持体の寸法に関しては、本発明は、どのような制限も受けない。しかしながら、本発明による紙製支持体は、使用者が適切な方法で使用できるように、即ち、例えば、特定の容器（例えば、灰皿）の中でその紙製支持体が燃焼し続けることを可能とするような寸法を紙製支持体が有するように、切断済みの形態で存在しているべきである。
【００３５】
上記紙製支持体、例えば、本発明に従って使用可能な該紙製支持体は、例えば、板紙（ｐａｐｅｒｂｏａｒｄ）、例えば、吸収性板紙、厚紙（ｃａｒｄｂｏａｒｄ）又は段ボール紙の形態を取ることができる。
【００３６】
殺虫活性物質
本発明による装置では、一種類のみの殺虫活性物資を供給されている支持体、特に紙製支持体を使用することができる。あるいは、当該支持体、特に、当該紙製支持体には、２種類以上の殺虫活性物質、例えば、２種類、３種類又は４種類の殺虫活性物質を、同時に供給することも可能である。
【００３７】
適切な殺虫活性物質の選択は、原則として、その殺虫活性物質が、約３５０〜６００℃の支持体（特に、紙製支持体）の燃焼温度で本質的に分解することなく、また、その殺虫活性を本質的に失うことなく、周囲の空気中に放出されることという制限のみを受ける。本発明の範囲内において、用語「本質的に分解することなく」は、８０％以下（好ましくは、７０％以下、特に好ましくは、６０％以下、特に、５０％以下、とりわけ、４０％以下）の分解しか起こらないことを意味するものと理解される。本発明の第１の実施形態においては、該紙製支持体に、ピレスロイド系からなる群から選択される少なくとも１種類の殺虫活性物質、特に、アクリナトリン、アレスリン、ｄ−アレスリン、ｄ−トランス−アレスリン、ｄ−シス−トランス−アレスリン、アルファメトリン（ａｌｐｈａｍｅｔｈｒｉｎ）、バトリン（ｂａｔｈｒｉｎ）、ビフェントリン、ビオアレスリン、Ｓ−ビオアレスリン、ビオアレスリン  Ｓ−シクロペンチル異性体、ビオエタノメトリン（ｂｉｏｅｔｈａｎｏｍｅｔｈｒｉｎ）、ビオペルメトリン、ビオレスメトリン、クロシトリン（ｃｌｏｃｙｔｈｒｉｎ）、クロバポルトリン（ｃｈｌｏｖａｐｏｒｔｈｒｉｎ）、シクロプロトリン、シフルトリン、ベータ−シフルトリン、シハロトリン、ガンマ−シハロトリン、ラムダ−シハロトリン、シペルメトリン、アルファ−シペルメトリン、ベータ−シペルメトリン、シス−シペルメトリン、シータ−シペルメトリン、ゼータ−シペルメトリン、シフェノトリン、デルタメトリン、デパレトリン（ｄｅｐａｌｌｅｔｈｒｉｎ）、エムペントリン、エムペントリン（１Ｒ異性体）、エスビオスリン（ｅｓｂｉｏｔｈｒｉｎ）、エスフェンバレレート、エトフェンプロックス、フェンフルトリン（ｆｅｎｆｌｕｔｈｒｉｎ）、フェンプロパトリン、フェンピリトリン、フェンバレレート、フルブロシトリネート（ｆｌｕｂｒｏｃｙｔｈｒｉｎａｔｅ）、フルシトリネート、フルメトリン、フブフェンプロックス（ｆｕｂｆｅｎｐｒｏｘ）、イミプロトリン、カデトリン、メトフルトリン、ネオピナミン（ｎｅｏｐｙｎａｍｉｎｅ）、ペルメトリン、シス−ペルメトリン、トランス−ペルメトリン、フェノトリン、フェノトリン（１Ｒ−トランス異性体）、ｄ−フェノトリン、プラレトリン、プロフルトリン、プロトリフェンブト（ｐｒｏｔｒｉｆｅｎｂｕｔｅ）、ピナミンフォルテ（ピナミンフォルテ）、ピレスメトリン、ピレトリン、レスメトリン、シス−レスメトリン、ＲＵ  １５５２５、シラフルオフェン、タウ−フルバリネート、テフルトリン、テトラメトリン（フタルスリン）、テトラメトリン（１Ｒ異性体）、テラレトリン、トラロメトリン、トランスフルトリン、ＺＸＩ  ８９０１、ピレトリン類（除虫菊（ｐｙｒｅｔｈｒｕｍ））及び上記物質の任意の混合物からなる群から選択される少なくとも１種類の殺虫活性物質を含浸させる。
【００３８】
さらなる実施形態において、該殺虫活性物質は、下記活性物質の中から選択することができる。その際、下記殺虫活性物質は、単独で使用することが可能である、又は、互いに組み合わせた任意の組合せ及び上記殺虫活性物質と組み合わせた任意の組合せで使用することが可能である。
【００３９】
アセチルコリンエステラーゼ（ＡＣｈＥ）阻害薬
カーバメート系
例えば、アラニカルブ、アルジカルブ、アルドキシカルブ、アリキシカルブ、アミノカルブ、ベンジオカルブ、ベンフラカルブ、ブフェンカルブ、ブタカルブ、ブトカルボキシム、ブトキシカルボキシム、カルバリル、カルボフラン、カルボスルファン、クロエトカルブ、ジメチラン、エチオフェンカルブ、フェノブカルブ、フェノチオカルブ、ホルメタネート、フラチオカルブ、イソプロカルブ、メタム−ナトリウム、メチオカルブ、メソミル、メトルカルブ、オキサミル、ピリミカーブ、プロメカルブ、プロポクスル、チオジカルブ、チオファノックス、トリメタカルブ、ＸＭＣ、キシリルカルブ、トリアザメート；
有機リン酸エステル系
例えば、アセフェート、アザメチホス、アジンホス（−メチル，−エチル）、ブロモホス−エチル、ブロムフェンビンホス（−メチル）、ブタチオホス、カズサホス、カルボフェノチオン、クロルエトキシホス、クロルフェンビンホス、クロルメホス、クロルピリホス（−メチル／−エチル）、クマホス、シアノフェンホス、シアノホス、クロルフェンビンホス、ジメトン−Ｓ−メチル、ジメトン−Ｓ−メチルスルホン、ジアリホス、ダイアジノン、ジクロフェンチオン、ジクロルボス／ＤＤＶＰ、ジクロトホス、ジメトエート、ジメチルビンホス、ジオキサベンゾホス、ダイスルホトン、ＥＰＮ、エチオン、エトプロホス、エトリムホス、ファムフール、フェナミホス、フェニトロチオン、フェンスルホチオン、フェンチオン、フルピラゾホス、ホノホス、ホルモチオン、ホスメチラン、ホスチアゼート、ヘプテノホス、ヨードフェンホス、イプロベンホス、イサゾホス、イソフェンホス、Ｏ−サリチル酸イソプロピル、イソキサチオン、マラチオン、メカルバム、メタクリホス、メタミドホス、メチダチオン、メビンホス、モノクロトホス、ナレド、オメトエート、オキシジメトン−メチル、パラチオン（−メチル／−エチル）、フェントエート、ホレート、ホサロン、ホスメット、ホスファミドン、ホスホカルブ（ｐｈｏｓｐｈｏｃａｒｂ）、ホキシム、ピリミホス（−メチル／−エチル）、プロフェノホス、プロパホス、プロペタムホス、プロチオホス、プロトエート、ピラクロホス、ピリダフェンチオン、ピリダチオン（ｐｙｒｉｄａｔｈｉｏｎ）、キナルホス、セブホス（ｓｅｂｕｆｏｓ）、スルホテップ、スルプロホス、テブピリムホス、テメホス、テルブホス、テトラクロロビンホス、チオメトン、トリアゾホス、トリクロルホン、バミドチオン；
ナトリウムチャンネルモジュレーター／電位依存性ナトリウムチャンネル遮断薬
ＤＤＴ；
オキサジアジン系
例えば、インドキサカルブ；
セミカルバゾン系
例えば、メタフルミゾン（ＢＡＳ３２０１）；
アセチルコリン受容体作動薬／拮抗薬
クロロニコチニル系
例えば、アセタミプリド、クロチアニジン、ジノテフラン、イミダクロプリド、ニテンピラム、ニチアジン、チアクロプリド、チアメトキサム；
ニコチン、ベンスルタップ、カルタップ；
アセチルコリン受容体モジュレーター
スピノシン系
例えば、スピノサド；
ＧＡＢＡ制御塩化物チャンネル拮抗薬
有機塩素系
例えば、カンフェクロル、クロルダン、エンドスルファン、ガンマ−ＨＣＨ、ＨＣＨ、ヘプタクロル、リンダン、メトキシクロル；
フィプロール系
例えば、アセトプロール、エチプロール、フィプロニル、ピラフルプロール（ｐｙｒａｆｌｕｐｒｏｌｅ）、ピリプロール（ｐｙｒｉｐｏｌｅ）、バニリプロール（ｖａｎｉｌｉｐｒｏｌｅ）；
塩化物チャンネル活性化薬
メクチン系
例えば、アバメクチン、エマメクチン、エマメクチン安息香酸塩、イベルメクチン、レピメクチン、ミルベマイシン；
幼若ホルモンミメティクス
例えば、ジオフェノラン、エポフェノナン（ｅｐｏｆｅｎｏｎａｎｅ）、フェノキシカルブ、ハイドロプレン、キノプレン、メトプレン、ピリプロキシフェン、トリプレン（ｔｒｉｐｒｅｎｅ）；
エクジソン作動薬／ディスラプター
ジアシルヒドラジン系
例えば、クロマフェノジド、ハロフェノジド、メトキシフェノジド、テブフェノジド；
キチン生合成阻害薬
ベンゾイル尿素系
例えば、ビストリフルロン、クロルフルアズロン（ｃｈｌｏｆｌｕａｚｕｒｏｎ）、ジフルベンズロン、フルアズロン、フルシクロクスロン、フルフェノクスロン、ヘキサフルムロン、ルフェヌロン、ノバルロン、ノビフルムロン、ペンフルロン（ｐｅｎｆｌｕｒｏｎ）、テフルベンズロン、トリフルムロン；
ブプロフェジン；
シロマジン；
酸化的リン酸化阻害薬、ＡＴＰディスラプター
ジアフェンチウロン；
有機スズ系
例えば、アゾシクロチン、シヘキサチン、酸化フェンブタスズ；
Ｈ−プロトン勾配を遮断することにより作用する酸化的リン酸化デカップラー
ピロール系
例えば、クロルフェナピル；
ジニトロフェノール系
例えば、ビナパクリル、ジノブトン、ジノカップ、ＤＮＯＣ；
Ｓｉｔｅ−Ｉ  電子伝達阻害薬
ＭＥＴＩ系
例えば、フェナザキン、フェンピロキシメート、ピリミジフェン、ピリダベン、テブフェンピラド、トルフェンピラド；
ヒドラメチルノン；
ジコホル；
Ｓｉｔｅ−ＩＩ  電子伝達阻害薬
ロテノン；
Ｓｉｔｅ−ＩＩＩ  電子伝達阻害薬
アセキノシル、フルアクリピリム；
昆虫消化管膜の微生物ディスラプター
バシルス・ツリンギエンシス（Ｂａｃｉｌｌｕｓ  ｔｈｕｒｉｎｇｉｅｎｓｉｓ）株
脂肪生合成阻害薬
テトロン酸系
例えば、スピロジクロフェン、スピロメシフェン；
テトラミン酸系
例えば、スピロテトラマト、シス−３−（２，５−ジメチルフェニル）−４−ヒドロキシ−８−メトキシ−１−アザスピロ［４．５］デク−３−エン−２−オン；
カルボキサミド系
例えば、フロニカミド；
オクトパミン作用薬
例えば、アミトラズ；
マグネシウム刺激ＡＴＰアーゼの阻害薬
プロパルギット；
ネライストキシン類似体
例えば、チオシクラムシュウ酸水素塩（ｔｈｉｏｃｙｃｌａｍ  ｈｙｄｒｏｇｅｎ  ｏｘａｌａｔｅ）、チオスルタップ−ナトリウム（ｔｈｉｏｓｕｌｔａｐ−ｓｏｄｉｕｍ）；
リアノジン受容体エフェクター
ベンゾジカルボキサミド系
例えば、フルベンジアミド；
アントラニルアミド系
例えば、リナキシピル（３−ブロモ−Ｎ−｛４−クロロ−２−メチル−６−［（メチルアミノ）カルボニル］フェニル｝−１−（３−クロロピリジン−２−イル）−１Ｈ−ピラゾール−５−カルボキサミド）；
生物学的薬剤、ホルモン又はフェロモン
アザジラクチン、バシルス属種（Ｂａｃｉｌｌｕｓ  ｓｐｅｃ．）、ベアウベリア属種（Ｂｅａｕｖｅｒｉａ  ｓｐｅｃ．）、コドレモン（ｃｏｄｌｅｍｏｎｅ）、メタリジウム属種（Ｍｅｔａｒｒｈｉｚｉｕｍ  ｓｐｅｃ．）、パエシロマイセス属種（Ｐａｅｃｉｌｏｍｙｃｅｓ  ｓｐｅｃ．）、チューリンギエンシン（Ｔｈｕｒｉｎｇｉｅｎｓｉｎ）、ベルチシリウム属種（Ｖｅｒｔｉｃｉｌｌｉｕｍ  ｓｐｅｃ．）；
作用機序が知られていないか又は特定されていない活性化合物
燻蒸剤
例えば、リン化アルミニウム、臭化メチル、フッ化スルフリル；
摂食阻害薬
例えば、氷晶石（ｃｒｙｏｌｉｔｅ）、フロニカミド、ピメトロジン；
ダニ成長阻害薬
例えば、クロフェンテジン、エトキサゾール、ヘキシチアゾクス；
アミドフルメト、ベンクロチアズ（ｂｅｎｃｌｏｔｈｉａｚ）、ベンゾキシメート、ビフェナゼート、ブロモプロピレート、ブプロフェジン、キノメチオネート、クロルジメホルム、クロロベンジレート、クロロピクリン、クロチアゾベン（ｃｌｏｔｈｉａｚｏｂｅｎ）、シクロプレン（ｃｙｃｌｏｐｒｅｎｅ）、シフルメトフェン、ジシクラニル、フェノキサクリム、フェントリファニル（ｆｅｎｔｒｉｆａｎｉｌ）、フルベンジミン、フルフェネリム、フルテンジン（ｆｌｕｔｅｎｚｉｎ）、ゴシプルレ（ｇｏｓｓｙｐｌｕｒｅ）、ヒドラメチルノン、ジャポニルレ（ｊａｐｏｎｉｌｕｒｅ）、メトキサジアゾン、石油、ピペロニルブトキシド、オレイン酸カリウム、ピリダリル、スルフルラミド、テトラジホン、テトラスル、トリアラセン、ベルブチン（ｖｅｒｂｕｔｉｎ）。
【００４０】
本発明の範囲内において、殺虫活性物質は、さらにまた、忌避活性物質又は協力剤も意味するものと理解される。
【００４１】
忌避効果を有する活性物質も、単独で使用することができる、又は、別の活性物質（例えば、ジエチルトルアミド（ＤＥＥＴ）及びピカニジン（ｐｉｃａｎｉｄｉｎ））と組み合わせて使用することができる。
【００４２】
殺虫活性物質の含有量に関して、本発明によって提供される支持体（特に紙製支持体）は、どのような特定の制限も受けない。しかしながら、その殺虫活性物質含有量は、紙面積２４ｃｍ２当たり０．０１〜１００．０ｍｇ、特に好ましくは紙面積２４ｃｍ２当たり０．０５〜８０ｍｇ、極めて特に好ましくは紙面積２４ｃｍ２当たり０．１〜６０ｍｇ、さらに極めて特に好ましくは紙面積２４ｃｍ２当たり０．１５〜４０ｍｇ、とりわけ紙面積２４ｃｍ２当たり０．２０〜２０ｍｇであることが好ましい、ということが分かった。ここで、この殺虫活性物質含有量は、いずれの場合にも、上記紙重量及び上記紙厚さを有する支持体（特に紙製支持体）に基づいている。
【００４３】
本発明の殺虫性組成物中の支持体（特に紙製支持体）には、付加的に、さらなる活性物質も含ませることができる。ここで、必須成分は、硝酸カリウムである。硝酸カリウムを含ませる結果として、該支持体（特に該紙）は、完全には燃えないが、着火及びその後の消火のあとで、燃焼する。本発明の支持体（特に紙製支持体）中に存在させる硝酸カリウムの量は、原則として、どのような制限も受けない。しかしながら、硝酸カリウムの量が５〜５０ｇ／ｃｍ２、特に好ましくは７〜４５ｇ／ｃｍ２、極めて特に好ましくは９〜４０ｇ／ｃｍ２、さらに極めて特に好ましくは１０〜３５ｇ／ｃｍ２、とりわけ１２〜３０ｇ／ｃｍ２であれば好ましいということが分かった。
【００４４】
本発明に従って使用する支持体（特に紙製支持体）には、さらにまた、付加的に、天然の及び／又は合成の香料並びに有機及び無機の着色剤も含有させることができる。
【００４５】
天然の香料は、例えば、以下のものからなる群から選択することができる：麝香、シベット、竜涎香、海狸香及び類似した香料：アジョワンオイル、アーモンドオイル、アンブレットシードアブソリュート、アンゼリカ根油、アニソール、メボウキ油、ベイ油、ベンゾインレジノイド、ベルガモットの精油、バーチオイル、紫檀オイル、オオウイキョウ油（ｆｅｒｕｌａ  ｏｉｌ）、カユブテ油、カナンガ油、ガピスクム油（ｇａｐｉｓｃｕｍ  ｏｉｌ）、キャラウェー油、カルダモン油、ニンジン種子油、カッシア油、シダーウッドオイル、セロリ種子油、シナモンバークオイル、シトロネラ油、クラリーセージオイル、丁子油、コニャック油、コリアンダーオイル、クベベンオイル（ｃｕｂｅｂｅｎｅ  ｏｉｌ）、樟脳油、ディルオイル、タラゴン油、ユーカリ油、フェンネルオイルスイート（ｆｅｎｎｅｌ  ｏｉｌ  ｓｗｅｅｔ）、カルバナムレジノイド（ｃａｌｂａｎｕｍ  ｒｅｓｉｎｏｉｄ）、ニンニク油、ゼラニウム油、ジンジャーオイル、グレープフルーツオイル、ホップ油、ヒヤシンスアブソリュート、ジャスミンアブソリュート、ジュニパーベリーオイル、ラブダナムレジノイド、ラベンダー油、ベイリーフオイル、レモンオイル、レモングラス油、ラベージ油（ｌａｖａｇｅ  ｏｉｌ）、メイス油（ｍａｃｅ  ｏｉｌ）、タンジェリン油、Ｎｆｉｓｏｍａアブソリュート、ミルラアブソリュート、カラシ油、ナルシスアブソリュート、ネロリ油、ナツメグ油、オークモスアブソリュート、オリバナムレジノイド、オニオンオイル、オポポナクスレジノイド（ｏｐｏｐｏｎａｘ  ｒｅｓｉｎｏｉｄ）、オレンジ油、オレンジ花油、アイリスコンクリート、コショウ油、ペパーミントオイル、ペルーバルサム（ｂａｌｓａｍ  ｏｆ  Ｐｅｒｕ）、プチグレン油、松葉油、ローズアブソリュート、ローズオイル、ローズマリー油、サンダルウッドオイル、セージオイル、カーリーミント油（ｃｕｒｌｙ−ｍｉｎｔ  ｏｉｌ）、スチラックスオイル（ｓｔｙｒａｘ  ｏｉｌ）、タイム油、トルーバルサム、トンカビーンアブソリュート、チュベローズアブソリュート、テレビン油、バニラポッドアブソリュート（ｖａｎｉｌｌａ  ｐｏｄ  ａｂｓｏｌｕｔｅ）、ベチバー油、バイオレットリーフアブソリュート、イランイランオイル及び類似した植物油（ｐｌａｎｔ  ｏｉｌｓ）など。
【００４６】
本発明の支持体材料（特に紙製支持体）に添加することが可能な合成香料は、以下のものである：ピネン、リモネン及び類似した炭化水素類、３，３，５−トリメチルシクロヘキサノール、リナロオール、ゲラニオール、ネロール、シトロネロール、メントール、ボルネオール、ボルネイルメトキシシクロヘキサノール、ベンジルアルコール、アニサルアルコール（ａｎｉｓａｌ  ａｌｃｏｈｏｌ）、シンナミルアルコール、β−フェニルエチルアルコール、シス−３−ヘキサノール、テルピネオール及び類似したアルコール類；アネトール類、ムスクキシレン、イソオイゲノール、メチルオイゲノール及び類似したフェノール類；アミルシンナムアルデヒド、アニスアルデヒド、ｎ−ブチルアルデヒド、クミンアルデヒド、シクラメンアルデヒド、デシルアルデヒド、イソブチルアルデヒド、ヘキシルアルデヒド、ヘプチルアルデヒド、ｎ−ノニルアルデヒドノナジエノール、シトラール、シトロネラール、ヒドロキシシトロネラール、ベンズアルデヒド、メチルノニルアセロアルデヒド、シンナムアルデヒド、ドデカノール、ヘキシルシンナムアルデヒド、ウンデカナール、ヘリオトロピン、バニリン、エチルバニリン及び類似したアルデヒド類、メチルアミルケトン、メチルβ−ナフチルケトン、メチルノニルケトン、ムスクケトン、ジアセチル、アセチルプロピオニル、アセチルブチニル、カルボン、メトン（ｍｅｔｈｏｎｅ）、樟脳、アセトフェノン、ｐ−メチルアセトフェノン、イオノン、メチルイオノン及び類似したケトン類；アミルブチロラクトン、ジフェニルオキシド、メチルフェニルグルシデート、ノニルアセトン、クマリン、シネオール、エチルメチルフェニルグリシデート及び類似したラクトン又は酸化物、ギ酸メチル、ギ酸イソプロピル、ギ酸リナリル、酢酸エチル、酢酸オクチル、酢酸メチル、酢酸ベンジル、酢酸シンナミル、プロピオン酸ブチル、酢酸イソアミル、イソ酪酸イソプロピル、イソ吉草酸ゲラニル、カプロン酸アリル、ヘプチル酸ブチル、カプリル酸オクチル、ヘプチンカルボン酸メチル、オクチンカルボン酸メチル、カプリル酸イソアミル、ラウリン酸メチル、ミリスチン酸エチル、ミリスチン酸メチル、安息香酸エチル、安息香酸ベンジル、カルビニルフェニル酢酸メチル、フェニル酢酸イソブチル、ケイ皮酸メチル、スチラシン、サリチル酸メチル、アニス酸エチル、アントラニル酸メチル、ピルビン酸エチル、ブチル酪酸エチル、プロピオン酸ベンジル、酢酸ブチル、酪酸ブチル、酢酸ｐ−ｔ−ブチルシクロヘキシル、酢酸セドリル、酢酸シトロネリル、ギ酸シトロネリル、酢酸ｐ−クレシル、酪酸エチル、カプロン酸エチル、ケイ皮酸エチル、フェニル酢酸エチル、ブラシル酸エチレン、酢酸ゲラニル、ギ酸ゲラニル、サリチル酸イソアミル、吉草酸イソアミル、酢酸イソボルニル、酢酸リナリル、アントラニル酸メチル、ジヒドロジャスモン酸メチル、酢酸ノニル、酢酸β−フェニルエチル、酢酸トリクロロメチレンフェニルカルビニル、酢酸テルピニル、酢酸ベチベリル及び類似したエステル類。これらの香料は、個別に使用することが可能である、又は、これらのうちの少なくとも２種類を互いの混合物として使用することが可能である。上記香料に加えて、本発明による���合物には、適切な場合には、香料工業で慣習的に使用されている添加剤、例えば、パチョリ油、又は、同様の揮発防止剤、例えば、オイゲノール、又は、同様の粘度調節剤などを付加的に含ませることができる。
【００４７】
本発明による製品には、さらにまた、脱臭剤、例えば、メタクリル酸ラウリル、ゲラニルクロトネート、ミリスチン酸アセトフェノン、ｐ−メチルアセトフェノンベンズアルデヒド、酢酸ベンジル、プロピオン酸ベンジル、アミルシンナムアルデヒド、アニスアルデヒド、ジフェニルオキシド、安息香酸メチル、安息香酸エチル、フェニル酢酸メチル、フェニル酢酸エチル、ネオリン、サフロールなども含ませることができる。
【００４８】
本発明の支持体（特に紙製支持体）には、さらに、オクタクロロジプロピルエーテル及びピペロニルブトキシドなどの協力剤も、単独で又は上記殺虫活性物質と組み合わせて、含ませることができる。
【００４９】
マトリックス
さらに、該殺虫活性物質は、支持体（特に紙製支持体）上に、マトリックスに含ませて存在させることもできる。その中に殺虫活性物質を含んでいるマトリックス材料を使用することによって、本発明の製品を製造後、使用する前に、当該殺虫活性物質が本質的に逃げ出さないこと、及び、本発明の製品がその稠度を変えないということを保証することが可能であり得る。
【００５０】
適切なマトリックス材料は、本発明に従って使用される当該少なくとも１種類の殺虫活性物質が、通常の環境条件下（２３℃、１０１３ｍｂａｒ）で、支持体材料（例えば紙製支持体）から放出されるのを防止する全ての系である。
【００５１】
マトリックス材料として適切な有機材料としては、ポリビニルアルコール、小麦タンパク質及びその誘導体、炭水化物、澱粉（種々の植物源からのもの）、アミロース及びその誘導体、アミロペクチン及びその誘導体、セルロース及びその誘導体、加水分解澱粉、加工澱粉、加工澱粉誘導体、マルトデキストリン、ヒドロキシプロピルメチルセルロース（ＨＰＭＣ）、ポリビニルピロリドン（ＰＶＰ）、キチン、キトサン、多糖類ガム及びその誘導体、ポリエチレングリコール、ポリエステル、ヒドロキシアルキル澱粉、ポリビニルピロリドン／セルロース誘導体、カゼイン、ゼラチン、可溶化タンパク質ｓ、ポリアクリルアミド、ポリアミン、スチレン／無水マレイン酸樹脂、ポリエチレンアミン、キサンタンガムなどがある。
【００５２】
挙げることができるさらなる例は、ポリアクリレート、例えば、場合により架橋されていてもよいマレイン化（ｍａｌｅｉｎｉｚｅｄ）又はエポキシ化ポリマー及び場合により架橋されていてもよい（メタ）アクリレートポリマーである。マレイン化又はエポキシ化ポリマーと架橋剤（好ましくは、ポリアミン）の縮合物が好ましい。適切なポリマーの例は、ポリジエン、例えば、ポリブタジエン、ポリデカジエン及び分子量４００ｇ／ｍｏｌを超えるダイズ油と無水マレイン酸の反応生成物であり、また、さらに、オレフィン（例えば、エチレン）と無水マレイン酸のコポリマー及びエポキシ化ポリブタジエンも適切なポリマーの例である。好ましい架橋剤は、ポリアミン、特に、ポリオキシプロピレンジアミン及びポリオキシプロピレントリアミンである。架橋剤として同様に適している別の物質は、トリエチレングリコール、ポリエチレンイミン及び尿素である。該架橋反応は、好ましくは、高温下、アルコール溶液中（例えば、ジプロピレングリコール中で）で実施する。架橋ポリマーの無水マレイン酸若しくはエポキシド基又は−ＮＲ−ＣＯ−基及び−ＣＲＨ−Ｏ−基（これらは、ポリオキシアルキレンポリアミンによって供給されている）は、親水効果を有している。
【００５３】
別の種類の架橋ポリマーは、単官能性（メタ）アクリレートモノマー（例えば、ヒドロキシエチルアクリレート又はポり（プロピレンオキシド）（エチレンオキシド）モノメタクリレート）と多官能性（メタ）アクリレートモノマー（例えば、エチレングリコールジメタクリレート又はポリエチレングリコール４００ジメタクリレートのコポリマーである。架橋（メタ）アクリレートポリマーの調製は、当該モノマーのラジカル共重合によって達成される。いずれの場合も、該架橋ポリマーは、液体及び気体を吸収することができ、例えば、溶解しているか又は分散している形態で液体中に微細に分配されている殺虫活性物質を吸収することができる。
【００５４】
マトリックス形成物質として適している別のものは、固形のアルカンカルボン酸及びアルカンカルボン酸のゲル様金属塩である。好ましくは、以下のものを挙げることができる：ステアリン酸及びステアリン酸のアルカリ金属塩、例えば、ステアリン酸ナトリウム、さらに、ステアリン酸及びパルミチン酸又はそれらのアルカリ金属塩の混合物、例えば、ステアリン酸ナトリウムとパルミチン酸ナトリウムの混合物。適切なマトリックス形成物質は、ＤＥ  １９６  ２４  ８１９  Ａ１（これの関連する開示内容は、参照により本発明に組み入れる）に記載されている。
【００５５】
挙げることができるさらなる例は、無機材料、例えば、シリカ、ポリシリケート、ポリリン酸及びその誘導体、ポリホウ酸及びクレーなどである。
【００５６】
さらにまた、マイクロカプセル化殺虫活性物質を使用することも可能である。個々の殺虫活性物質をマイクロカプセル化する結果として、標準的な室内条件下における望ましくない放出を回避することができる。適切なシステムは、ＤＥ  １００  ２２  ９８９  Ａ１（これの関連する開示内容は、参照により本発明に組み入れる）に記載されている。
【００５７】
調製
本発明に従って使用される含浸された支持体材料（特に紙製支持体材料）は、当該支持体（特に紙製支持体）が含浸処理を行っている間に損傷を受けない限り、慣習的な全ての含浸方法を用いて調製することが可能であり、例えば、支持体に殺虫剤の溶液を噴霧し、次いで乾燥させる（例えば、空気中で乾燥させる）ことにより、又は、支持体を殺虫剤の溶液に浸漬させ、次いで乾燥させる（例えば、空気中で乾燥させる）ことにより、調製することができる。適切な別の含浸方法は、ピペット、インクジェット法又はスクリーン印刷法である。
【００５８】
一実施形態では、本発明による殺虫剤組成物の支持体（特に紙製支持体）は、従って、適切な支持体材料（特に紙）を適切な溶液又はエマルションに浸漬させることにより調製することができる。ここで、使用する出発物質は、好ましくは、適切な量の硝酸カリウムがすでに供給されている上記仕様の支持体（特に紙製支持体）である。本発明のさらに別の実施形態では、該支持体（特に紙製支持体）に燃焼協力剤（ｇｌｏｗｉｎｇ  ｓｙｎｅｒｇｉｓｔ）を供給する。これは、例えば、硝酸カリウム又は又は過マンガン酸カリウムであり得る。
【００５９】
少なくとも１種類の殺虫活性物質を含んでいる適切な溶液又はエマルションは、水性又は油性であることができる。そのような溶液又はエマルションには、少なくとも１種類の殺虫活性物質に加えて、適切な場合には、さらなる成分、例えば、硝酸カリウム、酸化防止剤、例えば、フェノール誘導体、特に、ブチルヒドロキシトルエン（ＢＨＴ）、ブチルヒドロキシアニソール（ＢＨＡ）、ビスフェノール誘導体、アリールアミン類、例えば、フェニル−α−ナフチルアミン、フェネチジン／アセトン縮合物若しくは類似物又はベンゾフェノン類、及び、乳化剤、例えば、Ｓｐａｎ  ８０又は脂肪酸エステル類などを含有させる。
【００６０】
適切な有機アジュバント及び無機アジュバントは、アンモニウム塩、及び、粉砕された天然鉱物、例えば、カオリン、クレー、タルク、チョーク、石英、アタパルジャイト、モンモリロナイト又はケイ藻土、及び、粉砕された合成鉱物、例えば、高分散シリカ、アルミナ及びシリケートなどであり；  顆粒剤に適する固体担体は、例えば、粉砕して分別した天然石、例えば、方解石、大理石、軽石、海泡石及びドロマイト、並びに、無機及び有機の粗挽き粉からなる合成顆粒、並びに、有機材料、例えば、おがくず、ココナッツ殻、トウモロコシ穂軸及びタバコの葉柄などからなる顆粒などであり；  適する乳化剤及び／又は泡形成剤は、例えば、非イオン性及びアニオン性の乳化剤、例えば、ポリオキシエチレン脂肪酸エステル類、ポリオキシエチレン脂肪アルコールエーテル類、例えば、アルキルアリールポリグリコールエーテル類、アルキルスルホネート類、アルキルスルフェート類、アリールスルホネート類、並びに、タンパク質加水分解物などであり；  適する分散剤は、例えば、リグノスルファイト廃液及びメチルセルロースなどである。
【００６１】
接着剤、例えば、カルボキシメチルセルロース、粉末又は顆粒又はラテックスの形態にある天然及び合成ポリマー、例えば、アラビアゴム、ポリビニルアルコール及びポリ酢酸ビニル、並びに、天然のリン脂質、例えば、セファリン及びレシチン、並びに、合成リン脂質などを、本発明による殺虫剤含有ゲル製剤中で使用することができる。さらなる添加剤は、鉱油及び植物油であり得る。
【００６２】
着色剤、例えば、無機顔料、例えば、酸化鉄、酸化チタン及びプルシアンブルー（Ｐｒｕｓｓｉａｎ  ｂｌｕｅ）、並びに、有機染料、例えば、アリザリン染料、アゾ染料及び金属フタロシアニン染料、並びに、微量栄養素、例えば、鉄塩、マンガン塩、ホウ素塩、銅塩、コバルト塩、モリブデン塩及び亜鉛塩などを使用することができる。
【００６３】
第１の実施形態では、支持体（特に紙製支持体）に殺虫活性物質を適用するためには、水性の溶液又はエマルションを使用するのが好ましい。
【００６４】
第２の実施形態では、支持体（特に紙製支持体）に殺虫活性物質を適用するためには、油性の溶液又はエマルションを使用するのが好ましい。ここで、該溶液は、好ましくは、灯油（例えば、Ｉｓｏｐａｒ）及びパラフィン含有溶媒（例えば、Ｉｓｏｐａｒ（登録商標）（Ｅｘｘｏｎ）。
【００６５】
本発明の殺虫剤組成物は、飛翔昆虫、例えば、小昆虫及びハエ類、例えば、イエバエ（Ｍｕｓｃａ  ｄｏｍｅｓｔｉｃａ）を防除するのに適しており、また、ガ、アリ類、ダニ類、ゴキブリ類及びセイヨウシミ類を防除するのに特に適している。この目的のためには、例えば適切な容器内で、該支持体（特に、紙製支持体）に火を付け、直ちに火を消し、その結果、その後それら支持体は燃焼し尽くすことができる。この燃焼し尽くす時間は、当該支持体（特に、紙製支持体）の寸法及び当該支持体（特に紙製支持体）上の硝酸カリウムの量に左右される。通常、炎をあげずに燃焼する時間は、当該支持体材料に応じて、特に、当該紙の種類及び量並びに当該紙への添加物（ｌｏａｄｉｎｇ）の種類に応じて、１分間〜数時間である。
【００６６】
本発明による殺虫剤組成物は、密閉空間内で使用するのに、例えば、部屋、地下室、貯蔵室、小売店、サイロ及び動物小屋などの中で使用するのに、特に適している。しかしながら、本発明の範囲内において、戸外で、例えば、パティオにおいて又はキャンプで使用することも可能である。
【００６７】
以下の実施例を参照して、本発明について詳細に説明する。しかしながら、本発明は、下記実施例に記載されている使用形態に一切限定されることはない。
【図面の簡単な説明】
【００６８】
【図１】図１は、用いられた２０ｍ３試験室内の被検昆虫の配置位置を示す。
【図２】図２は、用いられた１ｍ３チャンバーの概略図である。
【図３】図３は、用いられた２０ｍ３チャンバーの概略図である。
【図４】図４は、リングを配置しおよび固定した方法および放出された活性成分を拡散させた方法を示す。
【実施例】
【００６９】
１．  昆虫防除試験（１ｍ３−試験室）
【００７０】
【表１】
0005126752.tif 000002
【００７１】
１．５  実験手順
昆虫を封入した１ｍ３のチャンバー内における、確定した製品量を有している蚊リング（ｍｏｓｑｕｉｔｏ  ｒｉｎｇｓ）を用いた生物学的試験
それぞれが２０匹の被検昆虫（齢：３〜４日）を含んでいる３つのバスケット（長さ８．５ｃｍ、直径８ｃｍ）を、底部がスチール製で０．８４ｍ×０．８７ｍ×１．３７ｍの寸法（内寸：容積１ｍ３）を有するガラス製試験チャンバーの上部３分の１に配置する。確定した量の紙製支持体又はリング（通常、０．５ｇ）を底部の中心に配置し、その一方の端に火を付ける。
【００７２】
当該昆虫の１０％、５０％及び９５％が死ぬまでの時間（ＫＴ１０、ＫＴ５０及びＫＴ９５）を測定する。被検昆虫は、当該チャンバー内に６０分間入れたままにしておく。次いで、死んだ昆虫の最終的な数を求める。全ての昆虫を容器から取り出し、殺虫剤を含んでいない透明なプラスチック製容器の中に移す。このビーカーを穴の開いたふたで覆い、１０％砂糖溶液に浸しておいたセルロース製スワブを与える。この殺虫剤の無い雰囲気内に昆虫を２４時間維持した後、殺虫率を測定する。
【００７３】
この試験を、３〜５回繰り返し行う。
【００７４】
一部変更：
９５％殺虫率（ＫＴ９５）の代わりに、１００％殺虫率（ノックダウン）を求める。一次スクリーニングの結果として、この試験は繰り返さない。
【００７５】
１．５  結果
１ｍ３のチャンバー内でＢａｙｇｏｎリングと比較した、含浸紙製支持体（本発明）の黄熱病を引き起こす蚊（ネッタイシマカ（Ａｅｄｅｓ  ａｅｇｙｐｔｉ）（系統ＢｉｏＧｅｎｉｕｓ０４、感受性系））に対する効力。
【００７６】
【表２】
0005126752.tif 000003
【００７７】
１ｍ３のチャンバー内でＢａｙｇｏｎリングと比較した、含浸紙製支持体（本発明）の黄熱病を引き起こす蚊（ネッタイイエカ（Ｃｕｌｅｘ  ｑｕｉｎｑｕｅｆａｓｃｉａｔｕｓ）（系統ＢｉｏＧｅｎｉｕｓ  ０５、感受性系））に対する効力。
【００７８】
【表３】
0005126752.tif 000004
【００７９】
１．６  評価
上記結果の比較は、本発明の紙製支持体がネッタイシマカ（Ａｅｄｅｓ  ａｅｇｙｐｔｉ）及びネッタイイエカ（Ｃｕｌｅｘ  ｑｕｉｎｑｕｅｆａｓｃｉａｔｕｓ）に対してＢａｙｇｏｎリングよりも速いノックダウン効果をもたらすことを示している。
【００８０】
２．  昆虫防除試験（２０ｍ３−試験室）
【００８１】
【表４】
0005126752.tif 000005
【００８２】
２．５  実験手順
下記略図に示されているように、実験は、２０ｍ３の寸法（ｌ＝２．８４ｍ、ｗ＝２．３３ｍ、ｈ＝３．０３ｍ）を有する部屋の中で行う。この部屋の内壁及び天井の外装は、スチール（ＤＩＮ  ４５７１）製であった。また、この部屋には、５つの窓が備え付けてあった。床は、無釉タイルからなっている。それぞれが２０匹の被検昆虫（齢：３〜４日）を含んでいる３つのワイヤーバスケット（長さ８．４ｃｍ、直径８ｃｍ、メッシュサイズ１．０ｍｍ）を、試験室内の位置Ａ、位置Ｂ及び位置Ｃに、床からの高さ１．８０ｍでそれぞれの側面から０．４５ｍ離して配置する。
【００８３】
リングを、部屋の中央の０．５ｍの高さのスタンドの上に配置したガラス製ボウルの中に置く。このリングを、市販のリング受け台に固定し、一方の端に火を付ける。羽根が上方に向いているファン（直径０．２ｍ）を上記ボウルの下に設置し、試験期間全体を通してスピード１で回転させる（製造元：Ｐｒｏｇｒｅｓｓ（Ｉｔａｌｙ）；  型：９５６  ５７８０−０４  Ｗ１１；  ２２０ボルト、２５ワット、５０Ｈｚ）。
【００８４】
当該昆虫の１０％、５０％及び９５％が死ぬまでの時間（ＫＴ１０、ＫＴ５０及びＫＴ９５）を測定する。被検昆虫は、当該部屋の中に６０分間入れたままにしておく。次いで、死んだ昆虫の最終的な数を求める。全ての昆虫を容器から取り出し、殺虫剤を含んでいない透明なプラスチック製容器の中に移す。このビーカーを穴の開いたふたで覆い、１０％砂糖溶液に浸しておいたセルロース製スワブを与える。この殺虫剤の無い雰囲気内に昆虫を２４時間維持した後、殺虫率を測定する。
【００８５】
この試験を、３〜５回繰り返し行う。
【００８６】
２．６  結果
２０ｍ３の部屋の中でＢａｙｇｏｎリングと比較した、含浸紙製支持体（本発明）の黄熱病を引き起こす蚊（ネッタイシマカ（Ａｅｄｅｓ  ａｅｇｙｐｔｉ）（系統ＢｉｏＧｅｎｉｕｓ０４、感受性系））に対するエーロゾル効力。
【００８７】
【表５】
0005126752.tif 000006
【００８８】
１ｍ３のチャンバー内でＢａｙｇｏｎリングと比較した、含浸紙製支持体（本発明）の黄熱病を引き起こす蚊（ネッタイイエカ（Ｃｕｌｅｘ  ｑｕｉｎｑｕｅｆａｓｃｉａｔｕｓ）（系統ＢｉｏＧｅｎｉｕｓ  ０５、感受性系））に対するエーロゾル効力。
【００８９】
【表６】
0005126752.tif 000007
【００９０】
２．７  評価
上記結果の比較は、本発明の紙製支持体がネッタイシマカ（Ａｅｄｅｓ  ａｅｇｙｐｔｉ）（２〜３．５倍）及びネッタイイエカ（Ｃｕｌｅｘ  ｑｕｉｎｑｕｅｆａｓｃｉａｔｕｓ）（２〜５倍）に対してＢａｙｇｏｎ（登録商標）リングよりも速いノックダウン効果をもたらすことを示している。
【００９１】
３．  昆虫防除試験（２０ｍ３−試験室）
【００９２】
【表７】
0005126752.tif 000008
【００９３】
３．５  実験手順
下記略図に示されているように、実験は、２０ｍ３の寸法（ｌ＝２．８４ｍ、ｗ＝２．３３ｍ、ｈ＝３．０３ｍ）を有する部屋の中で行う。この部屋の内壁及び天井の外装は、スチール（ＤＩＮ  ４５７１）製であった。また、この部屋には、５つの窓が備え付けてあった。床は、無釉タイルからなっている。それぞれが２０匹の被検昆虫（齢：３〜４日）を含んでいる３つのワイヤーバスケット（長さ８．４ｃｍ、直径８ｃｍ、メッシュサイズ１．０ｍｍ）を、試験室内の位置Ａ、位置Ｂ及び位置Ｃに、床からの高さ１．８０ｍでそれぞれの側面から０．４５ｍ離して配置する。
【００９４】
リングを、部屋の中央の０．５ｍの高さのスタンドの上に配置したガラス製ボウルの中に置く。このリングを、市販のリング受け台に固定し、一方の端に火を付ける。羽根が上方に向いているファン（直径０．２ｍ）を上記ボウルの下に設置し、試験期間全体を通してスピード１で回転させる（詳細：上記を参照されたい）。
【００９５】
当該昆虫の１０％、５０％及び９５％が死ぬまでの時間（ＫＴ１０、ＫＴ５０及びＫＴ９５）を測定する。被検昆虫は、当該部屋の中に６０分間入れたままにしておく。次いで、死んだ昆虫の最終的な数を求める。全ての昆虫を容器から取り出し、殺虫剤を含んでいない透明なプラスチック製容器の中に移す。このビーカーを穴の開いたふたで覆い、１０％砂糖溶液に浸しておいたセルロース製スワブを与える。この殺虫剤の無い雰囲気内に昆虫を２４時間維持した後、殺虫率を測定する。
【００９６】
この試験を、３〜５回繰り返し行う。
【００９７】
３．６  結果
２０ｍ３の部屋の中での含浸紙製支持体（本発明）の黄熱病を引き起こす蚊（ネッタイシマカ（Ａｅｄｅｓ  ａｅｇｙｐｔｉ）（系統ＢｉｏＧｅｎｉｕｓ０４、感受性系））に対するエーロゾル効力。
【００９８】
【表８】
0005126752.tif 000009
【００９９】
１ｍ３のチャンバー内での含浸紙製支持体（本発明）の黄熱病を引き起こす蚊（ネッタイイエカ（Ｃｕｌｅｘ  ｑｕｉｎｑｕｅｆａｓｃｉａｔｕｓ）（系統ＢｉｏＧｅｎｉｕｓ  ０５、感受性系））に対するエーロゾル効力。
【０１００】
【表９】
0005126752.tif 000010
【０１０１】
３．７  評価
上記実験は、２０ｍ３の寸法を有する部屋に対しては、少なくとも０．６ｍｇのトランスフルトリンを使用するのが特に適しているということを示している。
【０１０２】
４．  紙製蒸気生成物の燃焼挙動（炎をあげない燃焼挙動）の測定
４．１  装置
・  標準的な実験装置；
・  ストップウオッチ；
・  １ｍ３のチャンバー又は２０ｍ３のチャンバー；
・  ファン（２０ｍ３チャンバーでの試験についてのみ）；
・  被検体を固定するための締め付け装置；
・  ライター；
・  受け皿。
【０１０３】
４．２  手順
試験を開始する前に、被検体を明瞭に識別する。
【０１０４】
試験に供する被検体を備え付けられている締め付け装置に装入する。ここで、当該被検体は、それらが、他の表面、例えば、床又は受け皿などに、一切接触しないように配置することに注意しなければならない。このような他の表面は、当該試験の過程（被検体の燃焼）に悪影響を及ぼす。
【０１０５】
被検体を試験チャンバー（１ｍ３又は２０ｍ３）の中に入れ、全試験相を通して該被検体が観察され得るように、位置を定める。２０ｍ３のチャンバーでの試験の場合は、空気の循環をシミュレートするために、場合により、ファンを使用することができる（位置決め：下記略図を参照されたい）。可視炎が観察されるまで、ライターを用いて被検体に火を付ける。その炎を直ちに吹き消して、当該被検体が他の助けを受けずに燃焼し続けられるようにする。同時に、被検体の燃焼時間を測定するストップウオッチをスタートさせる。被検体を全試験期間（燃焼期間）を通して観察する。以下のものが観察される：
・  被検体は、試験の開始から終わりまで、連続的に燃焼する：
・  被検体は、試験の開始から終わりまで、均質に又は部分的に燃焼する；
・  被検体の一部が、試験中に落下する。
【０１０６】
測定は、少なくとも３回実施する。
【０１０７】
４．３  評価
この試験の結果は、表中に記入し、評価する。少なくとも、以下の重要な因子については評価し、表の形態で示す。
【０１０８】
・  燃焼相の持続時間（３回の測定の平均）；
・  燃焼相中の外観。
【０１０９】
４．４  外観についての評価因子
ａ  ＝試験の開始から終わりまで最適に燃えている；
ｂ  ＝燃焼中に一部が落下する；
ｃ  ＝残り火が消える；
ｓｆ＝火花の形成。
【０１１０】
４．５  試験チャンバー
（ａ）１ｍ３チャンバー試験図２
【０１１１】
（ｂ）２０ｍ３チャンバー試験図３
【０１１２】
５．  燃焼可能な紙製蒸気生成物の被検体の調製
５．１  装置
・  標準的な実験装置；
・  ストップウオッチ；
・  Ｖ４Ａ皿（３５×２２ｃｍ）；
・  乾燥器（最大で５０℃まで）；
・  写真ローラープレス（Ｐｈｏｔｏｇｒａｐｈｅｒｓ’  ｒｏｌｌｅｒ  ｐｒｅｓｓ）；
・  エッペンドルフ型ピペット２０〜５００μＬ（ピペットチップを含む）；
・  写真ローラープレスのための受け皿。
【０１１３】
５．２  紙の前処理
前処理用に測定する紙は、ＤＩＮ  Ａ  ４サイズに切断し、対応する開発番号で明瞭に識別する。そのＤＩＮ  Ａ  ４紙シートを正確に秤量する（正味重量）。
【０１１４】
その後、５００ｇの６％強度ＫＮＯ３水溶液を調製する。この溶液の調製には脱イオン水を使用することに注意しなければならない。最終的な溶液を対応する開発番号で識別し、約１Ｌの総容積でＶ４Ａ皿に移す。上記紙を上記６％強度ＫＮＯ３水溶液に浸漬する。ＤＩＮ  Ａ  ４紙シートの全体が溶液の中に浸漬されるように注意しなければならない。２０分間経過した後、この紙シートを溶液から取り出し、写真ローラープレスを用いて直接圧縮して、余分な液体をその紙から搾り出す。
【０１１５】
圧縮後、この紙シートを、恒量になるまで乾燥器（約５０℃）の中で乾燥させ、再度、正確に秤量する（総重量）。
【０１１６】
完成した前処理済み紙シートを、１２×２ｃｍの寸法の被検体ストリップに切断し、適切に識別する。
【０１１７】
５．３  被検体ストリップの含浸
エッペンドルフ型ピペットを用いて、確定された容積の活性物質溶液を被検体ストリップの上に置く。ここで、活性物質溶液の総量が被検体ストリップの表面全体に均一に分配されるように注意しなければならない。含浸された被検体ストリップは、関連する開発番号で識別し、アルミホイルの中に密閉封印する。２４時間ほどの暴露時間のあとで、該被検体ストリップは、関連する試験のためにアルミホイルの中から取り出すことができる。企図された試験（例えば、生物学的活性の立証とそれに伴う分析など）を実施することができるようにするために、被検体ストリップ当たり、充分な量を調製することが重要である。あとの時点で使用する被検体は、冷蔵庫の中に貯蔵する。
【０１１８】
５．４  ＫＮＯ３の量の評価
ＫＮＯ３の量の評価は、以下のように実施する：
・  ＫＮＯ３の量／ＤＩＮ  Ａ  ４シート
（紙シートの総重量）−（紙シートの正味重量）＝ＫＮＯ３の量
・  ＫＮＯ３の米坪
（シート１ｍ２当たりのＫＮＯ３の量）／（ＤＩＮ  Ａ  ４シートの面積）＝ＫＮＯ３／ｍ２
６．  さまざまな活性物質の効力
【０１１９】
【表１０】
0005126752.tif 000011
【０１２０】
６．５  サンプルの数
紙５枚。
【０１２１】
６．６  実験手順
実験は、２０ｍ３の寸法（ｌ＝２．８４ｍ、ｗ＝２．３３ｍ、ｈ＝３．０３ｍ）を有する部屋の中で行った。この部屋の内壁及び天井の外装は、スチール（ＤＩＮ  ４５７１）製であった。また、この部屋には、５つの窓が備え付けてあった。床は、無釉タイルからなっている。それぞれが２０匹の被検昆虫（齢：３〜４日）を含んでいる３つのワイヤーバスケット（長さ８．４ｃｍ、直径８ｃｍ、メッシュサイズ１．０ｍｍ）を、試験室内の位置Ａ、位置Ｂ及び位置Ｃに、床からの高さ１．８０ｍでそれぞれの側面から０．４５ｍ離して配置する。
【０１２２】
リングを、部屋の中央の０．５ｍの高さのスタンドの上に配置したガラス製ボウルの中に置く。このリングを、市販のリング受け台に固定し、一方の端に火を付ける。羽根が上方に向いているファン（直径０．２ｍ）を上記ボウルの下に設置し、試験期間全体を通してスピード１で回転させる。
【０１２３】
当該昆虫の１０％、５０％及び９５％が死ぬまでの時間（ＫＴ１０、ＫＴ５０及びＫＴ９５）を測定する。被検昆虫は、当該部屋の中に６０分間入れたままにしておく。次いで、死んだ昆虫の最終的な数を求めた。全ての昆虫を容器から取り出し、殺虫剤を含んでいない透明なプラスチック製容器の中に移す。そのビーカーを穴の開いたふたで覆い、１０％砂糖溶液に浸しておいたセルロース製スワブを与える。この殺虫剤の無い雰囲気内に昆虫を２４時間維持した後、殺虫率を測定する。
【０１２４】
この試験を、３から５回繰返し行う。
【０１２５】
６．７  結果
【０１２６】
【表１１】
0005126752.tif 000012
【０１２７】
【表１２】
0005126752.tif 000013
【０１２８】
６．８  結果
含浸させた全ての紙片（０．６ｍｇ  トランスフルトリン、０．２ｍｇ  メトフルトリン、０．６ｍｇ  Ｅｔｏｃ、又は、４．０ｍｇ  ピナミンフォルテ）は、以下の順番で、ネッタイシマカ（Ａｅｄｅｓ  ａｅｇｙｐｔｉ）に対して急速なノックダウン効果を示した：
【０１２９】
【表１３】
0005126752.tif 000014
【０１３０】
全ての紙片は、高い殺虫率を示した（ピナミンフォルテ、トランスフルトリン及びメトフルトリン  １００％殺虫率；Ｅｔｏｃ  ９７％殺虫率）。
【０１３１】
含浸させた全ての紙片（０．６ｍｇ  トランスフルトリン、０．２ｍｇ  メトフルトリン、０．６ｍｇ  Ｅｔｏｃ、又は、４．０ｍｇ  ピナミンフォルテ）は、以下の順番で、ネッタイイエカ（Ｃｕｌｅｘ  ｑｕｉｎｑｕｅｆａｓｃｉａｔｕｓ）に対して急速なノックダウン効果を示した：
【０１３２】
【表１４】
0005126752.tif 000015
【０１３３】
上記製品は、ネッタイイエカ（Ｃｕｌｅｘ  ｑｕｉｎｑｕｅｆａｓｃｉａｔｕｓ）に対する殺虫率に関して、有意に異なっていた。トランスフルトリンのみが１００％の殺虫率を示し、次に、メトフルトリン（８４％）、Ｅｔｏｃ（３５％）及びピナミンフォルテ（２２％）であった。
【０１３４】
７．使用した昆虫種の飼育条件
７．１  ネッタイイエカ（Ｃｕｌｅｘ  ｑｕｉｎｑｕｅｆａｓｃｉａｔｕｓ）
蚊は、側面と蓋にガーゼのパネルを有するケージ（４８×４８×３９ｃｍ）の中で飼育する。２６℃±１℃の温度及び相対大気湿度６０％±１０％で、照明（昼／夜の周期）は、タイマーを用いて制御する（１２時間明期／１２時間暗期）。蚊が液体を摂取できるように、当該箱の中に、１０％強度グルコース溶液に浸漬させた脱脂綿のボールを置く。人工的な血液の餌を１週間当たり２回与える。抗凝血剤と混合させたウシの血液を電磁撹拌機を用いて４０℃まで昇温させる。この血液の約５０ｍＬを特定の長さのブタ消化管に詰め、それを、上記飼育箱の中に配置する。これによって、蚊は血液を摂取することができる。産卵用として、２ｃｍのレベルまで水道水を入れた皿（直径１０ｃｍ）を飼育箱の中に配置する。産み付けられた卵は、飼育器用の加温パッドの上に置かれた５リットルの脱塩水が入れてあるプラスチック製皿（２５×３７ｃｍ）に移す。蚊の幼虫には、鑑賞魚用の市販乾燥飼料（例えば、Ｖｉｔａ（登録商標））を用いて、１日に１回餌を与える。約６日後、それらは、蛹の段階に達した。蚊の孵化のために、当該蛹を少量の水と一緒に１０リットル容のバケツに移す。孵化した蚊は、次いで、試験又は繁殖のために捕獲することができる。
【０１３５】
７．２  ネッタイシマカ（Ａｅｄｅｓ  ａｅｇｙｐｔｉ）
蚊は、側面と蓋にガーゼのパネルを有するケージ（４８×４８×３９ｃｍ）の中で飼育する。２６℃±１℃の温度及び相対大気湿度６０％±１０％で、照明（昼／夜の周期）は、タイマーを用いて制御する（１２時間明期／１２時間暗期）。蚊が液体を摂取できるように、当該箱の中に、１０％強度グルコース溶液に浸漬させた脱脂綿のボールを置く。人工的な血液の餌を１週間当たり２回与える。抗凝血剤と混合させたウシの血液を電磁撹拌機を用いて４０℃まで昇温させる。この血液の約５０ｍＬを特定の長さのブタ消化管に詰め、それを、上記飼育箱の中に配置する。これによって、蚊は血液を摂取することができる。産卵用として、高さ１０ｃｍの濾紙チューブ（ｆｉｌｔｅｒ  ｐａｐｅｒ  ｔｕｂｅ）を約半分の高さまで水道水を入れた皿（２５０ｍＬ）の中に配置する。産卵後、これらのチューブをプラスチック製バケツの中で貯蔵する。卵の乾燥を防ぐために、そのバケツの底を湿気を含んだ３ｃｍの高さのセルロース層で予め覆っておく。蚊の幼虫の孵化のために、予め２〜４週間貯蔵しておいた濾紙の約半分を、飼育器用の加温パッドの上に置かれた５リットルの脱塩水が入れてあるプラスチック製皿（２５×３７ｃｍ）の中に浸漬する。蚊の幼虫には、鑑賞魚用の市販乾燥飼料（例えば、Ｖｉｔａ（登録商標））を用いて、１日に１回餌を与える。約４〜５日後、それらは、蛹の段階に達した。蚊の孵化のために、当該蛹を少量の水と一緒に１０リットル容のバケツに移す。孵化した蚊は、次いで、試験又は繁殖のために捕獲することができる。
【０１３６】
８．  エーロゾルの効力と本発明による紙製支持体の効力の比較
【０１３７】
【表１５】
0005126752.tif 000016
【０１３８】
８．４  手順
それぞれが２０匹の被検昆虫（齢：３〜４日）を含んでいる３つのバスケット（長さ８．５ｃｍ、直径８ｃｍ）を、底部がスチール製で０．８４ｍ×０．８７ｍ×１．３７ｍの寸法（内寸：容積１ｍ３）を有するガラス製試験チャンバーの上部３分の１に配置する。
【０１３９】
特定量の活性物質を２ｃｍ３のアセトンに溶解させ、得られた溶液を上記チャンバーのそこに噴霧する。
【０１４０】
当該昆虫の１０％、５０％及び９５％が死ぬまでの時間（ＫＴ１０、ＫＴ５０及びＫＴ９５）を測定する。被検昆虫は、当該チャンバー内に６０分間入れたままにしておく。次いで、死んだ昆虫の最終的な数を求める。全ての昆虫を容器から取り出し、殺虫剤を含んでいない透明なプラスチック製容器の中に移す。このビーカーを穴の開いたふたで覆い、１０％砂糖溶液に浸しておいたセルロース製スワブを与える。この殺虫剤の無い雰囲気内に昆虫を２４時間維持した後、殺虫率を測定する。
【０１４１】
８．５  結果
１ｍ３のチャンバー内でのエーロゾルの黄熱病を引き起こす蚊（ネッタイシマカ（Ａｅｄｅｓ  ａｅｇｙｐｔｉ）（系統ＢｉｏＧｅｎｉｕｓ０４、感受性系））に対する効力。
【０１４２】
【表１６】
0005126752.tif 000017
【０１４３】
１ｍ３のチャンバー内でのエーロゾルの黄熱病を引き起こす蚊（ネッタイイエカ（Ｃｕｌｅｘ  ｑｕｉｎｑｕｅｆａｓｃｉａｔｕｓ）（系統ＢｉｏＧｅｎｉｕｓ  ０５、感受性系））に対する効力。
【０１４４】
【表１７】
0005126752.tif 000018
【０１４５】
比較は、本発明による装置が０．０３ｍｇ／ｍ３で既に効力を示すのに対して、エーロゾルの施用では一般に０．１ｍｇ／ｍ３のトランスフルトリンが必要であることを示している。
【図１】
0005126752.tif 000019
【図２】
0005126752.tif 000020
【図３】
0005126752.tif 000021
【図４】
0005126752.tif 000022